(57)【要約】      （修正有）【課題】鉛バッテリーの劣化状態と交換時期を推測するシステムを提供する。インターネットを使い、鉛バッテリー所有者に鉛バッテリーの劣化状況、故障を知らせるシステムを提供する。【解決手段】鉛バッテリーに充電するためにスイッチを入れ、そのときの日付と時刻をメモリーに記憶させる。鉛バッテリーの充電が終了したときの日付と時刻をメモリーに記憶させる。スイッチオン・スイッチオフの日付と時刻をコンピュータ処理し、鉛バッテリーの充電回数と充電時間をグラフに表示し、鉛バッテリーの劣化状態と交換時期を推測するシステム。これらの情報はインターネットを使い、鉛バッテリー所有者に鉛バッテリーの劣化状況、故障を知らせるシステム。【選択図】図３
2008298759.tif 000002
【特許請求の範囲】
【請求項１】
鉛バッテリーは充電、放電を繰り返すとある時期から通常の使用が不可能になる。この使用不可能な状態が起きる前に、使用不可能が何時ごろ起きるか予想するシステム。
【請求項２】
鉛バッテリーを充電するためにスイッチを入れ、そのときの日付と時刻をメモリーに記憶させる。鉛バッテリーの充電が終了したときの日付と時刻をメモリーに記憶させる。スイッチオン・スイッチオフの日付と時刻をコンピュータ処理し、鉛バッテリーの充電回数と充電時間をグラフに表示し、鉛バッテリーの劣化状態と交換時期を推測するシステム。
【請求項３】
鉛バッテリーの極板間の電圧を定期的に測定し、充電状態時の電圧上昇の状況と飽和電圧に達する充電時間、充電回数を記録するシステム。
【請求項４】
（請求項目３）））の値をコンピュータ処理し、鉛バッテリーの充電開始時刻と終了時刻、充電回数、電極間の電圧値などをインターネットでインターネットサーバに送り、データベースに格納保存する。インターネットサーバに格納保存された情報はインターネットブラウザーなどを利用し鉛バッテリーの充電回数や充電のスイッチオン・オフ時刻から計算された充電時間や電圧値をグラフで見られるシステム。
【請求項５】
鉛バッテリーを使用している者は、上記システムを使うことによりシステム運用者に使用料を支払う仕組み。
【発明の詳細な説明】
【技術分野】
【０００１】本発明は鉛バッテリーの寿命を推定し、鉛バッテリー交換時期を予想するシステムに関するものである。
【背景技術】
【０００２】鉛バッテリーはディープサイクルバッテリーとしてフォークリフトやゴルフカートに多用されている。また、最近では地球環境保護対策としてＣＯ２を削減するために漁船などの夜釣りの照明用電源をディーゼル発電機から鉛バッテリーに変更することがスタートした。これらの鉛バッテリーは恒常的に充電されず、放電が終了すれば再充電をしなければならない。【０００３】さらに、エンジン始動用バッテリーは自動車などの乗り物や、特定建築物に設置義務化されている、非常用発電機のスターター電源として使われている。これらの鉛バッテリーは恒常的に充電がされている。【０００４】上記（０００２）（０００３）で述べた鉛バッテリーはライフサイクルコストの管理がされていない。（参照文献１）
【参照文献１】
ファシリティマネジメントガイドブック第２版  通商産業省生活産業極生活用品課、建設省住宅局建築指導課  監修  ＦＭ推進連絡協議会  編  ２１３ページ
【発明の開示】
【発明が開示しようとする課題】
【０００５】ゴルフカートなどは鉛バッテリーを３〜５個、直列、あるいは並列にして、１塊の動力電源として使用している。１塊の動力電源のうち１個が鉛バッテリーの故障や寿命であった場合、通常、交換は３〜５個の鉛バッテリーの塊として交換する。故障した鉛バッテリー以外に残りの２〜４個の鉛バッテリーは良品にもかかわらず、交換するため鉛バッテリーの所有者は無駄な費用を掛けることになる。
【０００６】鉛バッテリーの故障には鉛バッテリーが装着されている機械の振動や冠水などにより、陽極の破損、陰極の破損、電極間のショートがある。
【０００７】また、鉛バッテリーの寿命はサルフェーション（硫酸鉛）が極板へ結晶し、付着するため、電極面積が狭隘となり放電時間が短くなることである。
【０００８】サルフェーション（硫酸鉛）は電極の極板に生成され、経年的に電極に付着する。サルフェーションが極板を覆うため、極板が電解液に触れる有効面積が少なくなり、鉛バッテリーの容量が減少する。
【０００９】以上の原因により、鉛バッテリーの所有者が、どの鉛バッテリーが故障したか、あるいは寿命が来たか指摘できず、無駄な費用を払うことが問題である。
【問題を解決する手段】
【００１０】この問題を解決するために、鉛バッテリーの充電、放電、電極間の電圧を測定する。
【００１１】鉛バッテリーの使用不可能を予想するためには、充電時間の回数と全充電時間の合計を計測する。充電回数か全充電時間がある一定値を超える点が鉛バッテリーの交換時期と考える（図  １）。
【００１２】鉛バッテリーの劣化状況は電極に付着するサルフェーション（硫酸鉛）による電圧降下チェックが必要である。
【本発明を実施するための最良のシステム】
【００１３】以下、本発明を実施するシステムを説明する。
（イ）本発明は鉛バッテリーの状態をチェックするシステム（１）とチェックしたデータをローカルサーバに送るシステム（２）と、チェックしたデータを格納するローカルサーバ（３）とローカルサーバのデータを格納保存するインターネットに接続されたサーバ（４）から構成される（図  ３）。
（ロ）鉛バッテリーの状態をチェックするシステム（１）は充電状態をチェックする回路と定期的に電極間の電圧測定をする回路とそれらの部分から取り出されたデータをメモリーに格納するものである。（図  ２）。
（ハ）鉛バッテリーの状態をチェックするシステム（１）はそれが取り付けられた鉛バッテリーに特定の番号を付加する機能を有する。
（ニ）充電状態のチェックとは充電が開始、終了された月日、時刻を自動的にコンピュータ制御回路にあるメモリーに格納する機能である。これにより、鉛バッテリーが充電されているか、故障しているかチェックできる。また、充電回数もカウントできる。
（ホ）電極間の電圧測定は極板に付着しているサルフェーション（硫酸鉛）の状態をチェックする機能である。通常、サルフェーション（硫酸鉛）は放電時に極板に生成されるが、鉛バッテリーの劣化が進んでいない状況下では充電時に電解質に溶け込む。しかし、劣化が進むと、サルフェーション（硫酸鉛）は極板に結晶化し、充電時にも電解質に戻らず、極板の有効面積を減少させる。この結果、鉛バッテリーは充電しても正常な極板面積の時点と比べ充電時間が短くなる。したがって、放電時間も短くなる。電極間の電圧を一定間隔で測定し、飽和電圧になる時間をコンピュータ制御回路にあるメモリーに格納する。
（ヘ）ローカルサーバにデータを送るシステム（２）は鉛バッテリーの状態をチェックするシステム（１）のメモリーに格納されたデータを、ローカルサーバ（３）に送る機能を持つ。
（ト）ローカルサーバに格納されたデータはインターネットに接続され、インターネットサーバに転送される。鉛バッテリーの所有者はインターネットブラウザーから所有している鉛バッテリーの状況が把握できる。
【００１４】本発明システムを使う者は事業所単位あるいは鉛バッテリーの台数毎に、本発明システムを運営する者に使用料を支払う。
【００１５】本発明システムを使う者はインターネットを通して、鉛バッテリーの劣化状態、故障や交換時期を把握し、これらに対する予算措置をすることができる。
【図面の簡単な説明】
【００１６】
【図１】自動車のスターターバッテリーにおける充放電の電圧変化を示した模式図
【図２】鉛バッテリーの状態をチェックするシステム
【図３】本発明を実施するための最良のシステム
【符号の説明】
【００１７】（１）鉛バッテリーの状態をチェックするシステム
（２）チェックしたデータをローカルサーバに送るシステム
（３）チェックしたデータを格納するローカルサーバ
（４）ローカルサーバのデータを格納保存するインターネットに接続されたサーバ
【図１】
2008298759.tif 000003
【図２】
2008298759.tif 000004
【図３】
2008298759.tif 000005